(57)【要約】【課題】無線通信時にアンテナの利得が損失することを防止することが可能な無線通信端末を提供する。【解決手段】表示画面やスピーカなどが設けられた出力部と、操作ボタンやマイクなどが設けられた操作部とを有し、平行な２回動軸を有するヒンジからなる連結部を介して接合し、筐体を折りたたむことが可能な携帯電話機やＰＨＳなどの無線通信端末において、操作部内のヒンジ付近に内蔵アンテナを設置し、出力部が回動軸を中心に所定位置まで回動した後に、該軸と異なるもう一方の軸を中心に操作部及びヒンジを回動させる。  【選択図】  図１
2006229364.tif 000002
【特許請求の範囲】
【請求項１】
第１の筐体と、
第２の筐体と、
互いに並行する第１の回動軸と第２の回動軸とを有するヒンジからなり、前記第１の筐体と前記ヒンジとが連結する該第１の回動軸を中心に該第１の筐体が開方向に所定位置まで回動した後に、前記第２の筐体と前記ヒンジとが連結する該第２の回動軸を中心に該第２の筐体が開方向に回動する連結部と、
前記第２の筐体の前記第２の回動軸近傍に配置された内蔵アンテナと
を具備したことを特徴とする無線通信端末。
【請求項２】
第１の筐体と、
第２の筐体と、
互いに並行する第１の回動軸と第２の回動軸とを有するヒンジからなり、前記第２の筐体と前記ヒンジとが連結する該第２の回動軸を中心に該第２の筐体が閉方向に所定位置まで回動した後に、前記第１の筐体と前記ヒンジとが連結する該第１の回動軸を中心に該第１の筐体が閉方向に回動する連結部と、
前記第２の筐体の前記第２の回動軸近傍に配置された内蔵アンテナと
を具備したことを特徴とする無線通信端末。
【発明の詳細な説明】
【技術分野】
【０００１】
本発明は、無線通信端末に関し、特に、当該端末の内部にアンテナを実装した無線通信端末に関する。
【背景技術】
【０００２】
携帯電話機やＰＨＳ(Personal Handyphone System)などの無線通信端末では、一般的に複数系統のアンテナを具備しており、同一の無線信号をこれらのアンテナで受信すると、電波状況の優れたアンテナの信号を優先的に用いて通話の安定性を高めるダイバシティ方式を利用している。
【０００３】
そして、この複数系統のアンテナの１つとして、ロットアンテナなどの外部アンテナがあり、この外部アンテナは、アンテナを端末の筐体から伸ばすことにより、導電体である人体（頭部）からの距離を確保し、良好な感度が得られるように構成されている。
【０００４】
ところで、無線通信端末には、図５に示すように、複数の回動軸４０、４１を有するヒンジ４２を具備して開閉動作が可能な筐体を有するものがあり、このような無線通信端末は、通常、筐体を折りたたんだ状態（図５(ａ)参照）でユーザが所持し、通話時には、筐体を展開させた状態（図５(ｂ)参照）で利用し、さらには、筐体を反対側にまで折りたたむように展開した状態（図５(ｃ)参照）で付属のデジタルカメラ機能を用いた撮影などを行うことが可能なものもある（例えば、特許文献１参照）。
【０００５】
このような無線通信端末では、筐体を展開する際に受話部（スピーカ）が設けられている筐体の回動軸を中心に回動して展開する（図５(ｂ)参照）とは限らず、例えば、通話部（マイク）が設けられている筐体の回動軸を中心に回動して展開する場合（図５(ｄ)参照）や、ヒンジの双方の回動軸を中心に筐体がそれぞれ回動して展開する場合（図５(ｅ)）がある。
【０００６】
そこで、凹部を有する部材と、ボールをバネで押し出すことによって形成される凸部を有する部材とでヒンジを構成し、この凹部沿って凸部をスライドさせることによって、筐体の展開する順番や展開時の角度を規定する方法などが提案されている（例えば、特許文献２参照）。
【特許文献１】特開２００２−１９８８４９号公報
【特許文献２】特開２００４−３０８７１０号公報
【発明の開示】
【発明が解決しようとする課題】
【０００７】
ところで、例えば、特許文献２に記載されたヒンジを有する無線通信端末をデザインするにあたって、筐体表面に出っ張りを作りたくない場合であっても、外部アンテナを単純に内蔵させるだけでは、アンテナと人体との適切な距離を常に確保することができず、無線通信に必要なアンテナ利得が損なわれる恐れがあった。
【０００８】
また、２軸ヒンジを有する携帯通信端末において、外部アンテナに代えて内蔵アンテナを用いた場合は、通話時に規定された角度で筐体を展開することができたとしても、内蔵アンテナと人体との適切な距離が確保できない場合は、無線通信に必要なアンテナ利得が損なわれる恐れがあった。
【０００９】
そこで本発明では、無線通信時にアンテナの利得が損失することを防止することが可能な無線通信端末を提供することを目的とする。
【課題を解決するための手段】
【００１０】
本発明では、無線通信端末において、第１の筐体と、第２の筐体と、互いに並行する第１の回動軸と第２の回動軸とを有するヒンジからなり、前記第１の筐体と前記ヒンジとが連結する該第１の回動軸を中心に該第１の筐体が開方向に所定位置まで回動した後に、前記第２の筐体と前記ヒンジとが連結する該第２の回動軸を中心に該第２の筐体が開方向に回動する連結部と、前記第２の筐体の前記第２の回動軸近傍に配置された内蔵アンテナとを具備した。
【００１１】
また、本発明では、無線通信端末において、第１の筐体と、第２の筐体と、互いに並行する第１の回動軸と第２の回動軸とを有するヒンジからなり、前記第２の筐体と前記ヒンジとが連結する該第２の回動軸を中心に該第２の筐体が閉方向に所定位置まで回動した後に、前記第１の筐体と前記ヒンジとが連結する該第１の回動軸を中心に該第１の筐体が閉方向に回動する連結部と、前記第２の筐体の前記第２の回動軸近傍に配置された内蔵アンテナとを具備した。
【発明の効果】
【００１２】
本発明では、第１の筐体と第２の筐体とを並行な第１の回動軸と第２の回動軸との２つの回動軸を有するヒンジからなる連結部を介して接合し、該連結部を中心として折り曲げを行うことが可能であり、前記第１の筐体と前記ヒンジとが連結している前記第１の回動軸を中心に前記第１の筐体が回動して展開した後、前記第２の筐体と前記ヒンジとが連結している前記第２の回動軸を中心に前記第２の筐体が回動して展開を行うことが可能な無線通信端末において、前記第２の筐体の前記第２の回動軸近傍にアンテナ設置領域を形成し、該アンテナ設置領域内にアンテナを内蔵するように構成したので、無線通信時に良好なアンテナ利得を得ることが可能となるという効果を奏する。
【発明を実施するための最良の形態】
【００１３】
以下、本発明に係る無線通信端末を実施するための最良の形態について、添付図面を参照して詳細に説明する。
【実施例１】
【００１４】
図１は、本実施例に係る無線通信端末の構成の一例を示す模式図である。同図(ａ)に示すように無線通信端末１０は、電話番号の入力などを行う入力ボタンや通話時に音声を入力するマイク（送話部）１０−１が設けられた操作部（第２の筐体）１１と、入力ボタンで入力された番号などを表示する表示画面や通話時の音声を出力するスピーカ（受話部）１０−２などが設けられている出力部（第１の筐体）１２とからなり、操作部１１内の上方外側（筐体を折り畳んだときに外となる側）のアンテナ設置領域１３に、アンテナが内蔵されている。
【００１５】
そして、操作部１１と出力部１２とは、並行な回動軸を２つ有するヒンジ１４で接続されており、図１(ｂ)に示すように各回動軸１５、１６を中心に操作部１１と出力部１２とが回動して、筐体の開閉を行うように構成されている。
【００１６】
図２は、操作部と出力部とを連結する連結部の構成の一例を示す図である。同図(ａ)に示すように折り畳まれた状態（参照）の筐体を展開させる場合は、まず、回動軸１６を中心に出力部１２が開方向に回動し、予め設定された角度（例えば、１６０°）展開する（図２(ｂ)参照）。
【００１７】
ここで、回動軸１６を中心に回動して展開した状態の出力部１２をさらに展開させると、回動軸１５を中心に操作部１１及びヒンジ１４が開方向に回動し（図２(ｃ)参照）、出力部１２が操作部１１の裏面に接すると回動が停止して、ほぼ３６０°展開する（図２(ｄ)参照）。
【００１８】
このため、無線通信（通話）を行う際には予め規定された角度で筐体が展開し、図１(ｃ)に示すように操作部１１の上方外側のアンテナ設置領域１３が人体（頭部）から離れた位置となる。
【００１９】
したがって、このアンテナ領域にアンテナを設けることにより、アンテナと人体との適切な距離が確保され、無線通信時のアンテナ利得の損失が防止される。
【００２０】
図３は、実施例における無線通信端末のアンテナの構成の一例を示す図である。同図に示すように、アンテナ２０は、電波を送受信するための本体部２１と、筐体に設置するための接続部２２とからなる。なお、図３(ａ)は、アンテナの正面図であり、同図(ｂ)は、同図(ａ)の下方からアンテナを見た場合の側面図である。
【００２１】
本体部２１は、長さがλ／４×ｎ(λ：周波数、ｎ：整数)であり、先端２３の幅が広くなるように構成されている。このため、良好な受信感度を得ると共に、幅広い帯域の電波を良好に受信することができる。
【００２２】
接続部２２は、湾曲した形状を有しており、筐体に設けられている溶着ピンを貫通させてアンテナを固定するための溶着ピンホール２４を有し、また、通信回路に接続するための接触部２５が、この湾曲した部分に設けられている。
【００２３】
そして、接続部２２は、板ばねなどと同様に弾性を有しており、この反り返る力を利用して接触部２５が後述する給電点（通信回路）と接続するように構成されている。
【００２４】
図４は、筐体の操作部に設置されたアンテナの構成を示す図である。ここで、操作部１１は、操作ボタンなどが設けられる操作面側と、筐体を折り畳んだ際に外側となる裏面側とを重ね合わせて接合するように構成されており、図４(ａ)は、操作面側の筐体を内側から見た図であり、また、図４(ｂ)は、図４(ａ)の領域３０に対応する裏面側筐体の領域を示す図である。
【００２５】
そして、アンテナ２０は、操作面側の筐体１１−１の給電点２６に接続するように（図４(ａ)参照）、裏面側の筐体１１−２の上方（図４では、向かって右側上方）に設置されている（図４(ｂ)参照）。
【００２６】
上記構成を用いて、本実施例における無線通信端末は、操作部と出力部とを展開して無線通信（通話）を行う際に、無線通信を行う人物の頭部から離れた場所にアンテナを位置させることができる。
【００２７】
このように本実施例における無線通信端末は、筐体操作部の上方内部にアンテナを設けるため、ロットアンテナなどの外部アンテナを用いた場合と異なり、筐体を開いて通話などの無線通信を行う際に人体（頭部）とアンテナとの距離を筐体の開き方に関わらず十分に確保することができる。
【００２８】
このため、筐体の開き方に応じてアンテナの利得が損失するといった問題の発生を防止することができる。
【００２９】
また、筐体が開いた際の角度をヒンジなどの連結部の構成を用いて規定することができるため、より確実にアンテナの利得損失を防止することができる。
【００３０】
なお、以上においては通話のために筐体を開く際を例にとって説明したが、例えば、３６０°展開してＴＶを見ている状態で着信があり、通話のために筐体を閉じて予め設定された角度（例えば、１６０°）とする際にも、本発明は適用可能である。即ち、筐体を閉じる場合は、開く場合とは逆に、先ず回動軸１５を中心に操作部１１及びヒンジ１４が回動し、次に回動軸１６を中心に出力部１２とヒンジが回動するように構成しても同様の効果が得られる。
【図面の簡単な説明】
【００３１】
【図１】実施例１に係る無線通信端末の構成の一例を示す模式図
【図２】実施例１における操作部と出力部とを連結する連結部の構成の一例を詳細に示す図
【図３】実施例１における無線通信端末のアンテナの構成の一例を示す図
【図４】筐体の操作部に設置されたアンテナの構成を示す図
【図５】ロットアンテナを備えた従来の無線通信端末の構成の一例を示す図
【符号の説明】
【００３２】
１０…無線通信端末
１０−１…送話部
１０−２…受話部
１１…操作部
１１−１…操作面側筐体
１１−２…裏面側筐体
１２…出力部
１３…アンテナ設置領域
１４、４２…ヒンジ
１５、１６、４０、４１…回動軸
２０…アンテナ
２１…本体部
２２…接続部
２３…先端
２４…溶着ピンホール
２５…接触部
２６…給電点
３０…対応領域
【図１】
2006229364.tif 000003
【図２】
2006229364.tif 000004
【図３】
2006229364.tif 000005
【図４】
2006229364.tif 000006
【図５】
2006229364.tif 000007